(57)【要約】  ＵＥによって実行される無線通信の方法が提供される。この方法は、Ｐ−ＲＮＴＩによってスクランブルされたＣＲＣを有するＤＣＩを基地局から受信するステップと、ＤＣＩ内のショートメッセージインジケータが、ページングのためのスケジューリング情報およびショートメッセージの両方がＤＣＩ内に存在することを示す場合に、ＤＣＩ内のショートメッセージ内のＳＩ修正ビットをチェックするステップと、ショートメッセージ内においてＳＩ修正ビットがセットされている場合にＳＩ取得手順を実行するステップと、を含む。
2021516508.tif 000002
【特許請求の範囲】
【請求項１】
ユーザ機器（ＵＥ）によって実行される無線通信の方法であって、
ページング無線ネットワーク一時識別子（Ｐ−ＲＮＴＩ）によってスクランブルされた巡回冗長検査（ＣＲＣ）を有するダウンリンク制御情報（ＤＣＩ）を基地局から受信するステップと、
前記ＤＣＩ内のショートメッセージインジケータが、ページングのためのスケジューリング情報およびショートメッセージの両方が当該ＤＣＩ内に存在することを示す場合に、当該ＤＣＩ内の当該ショートメッセージ内のシステム情報（ＳＩ）修正ビットをチェックするステップと、
前記ショートメッセージ内において前記ＳＩ修正ビットがセットされている場合にＳＩ取得手順を実行するステップと、を含む方法。
【請求項２】
前記ショートメッセージは、地震および津波警報システム（ＥＴＷＳ）通知および商用携帯警報システム（ＣＭＡＳ）通知の両方のための１つのＰＷＳ通知ビットを含む、請求項１に記載の方法。
【請求項３】
前記ショートメッセージインジケータが、前記ページングのためのスケジューリング情報が前記ＤＣＩ内に存在することを示すときに、前記基地局からページングメッセージを受信するステップをさらに含み、
前記ページングメッセージはＳＩ修正に関する指示情報を含まない、請求項１に記載の方法。
【請求項４】
前記ページングメッセージは、更新されたシステム情報を含む、請求項３に記載の方法。
【請求項５】
前記ページングメッセージは、マスタ情報ブロック（ＭＩＢ）、システム情報ブロックタイプ１（ＳＩＢ１）、更新されたＳＩＢ、更新されたＳＩＢ  ＩＤ、および更新されたＳＩメッセージＩＤのうちの少なくとも１つを含む、請求項３に記載の方法。
【請求項６】
前記ショートメッセージは、異なる無線リソース制御（ＲＲＣ）状態の前記ＵＥが前記ＳＩ取得手順を実行するかどうかを示すフィールドをさらに含む、請求項１に記載の方法。
【請求項７】
前記Ｐ−ＲＮＴＩの値は、ＲＲＣ状態のために前もって設定されている、請求項１に記載の方法。
【請求項８】
前記ショートメッセージは、前記ＵＥがどの帯域幅部分（ＢＷＰ）においてＭＩＢを読み取るかを示すフィールドをさらに含む、請求項１に記載の方法。
【請求項９】
前記ＤＣＩ内の前記ショートメッセージインジケータが、前記ＤＣＩ内に前記ショートメッセージは存在するが、前記ページングのためのスケジューリング情報は存在しないことを示す場合、前記ＤＣＩ内の前記ショートメッセージ内の前記ＳＩ修正ビットをチェックするステップをさらに含む、請求項１記載の方法。
【請求項１０】
前記ショートメッセージ内において前記ＳＩ修正ビットがセットされている場合、前記ＵＥのＢＷＰ非アクティビティタイマを停止するステップをさらに含む、請求項１に記載の方法。
【請求項１１】
コンピュータ実行可能命令が組み込まれた１つ以上の非一時的コンピュータ可読媒体と、
前記１つ以上の非一時的コンピュータ可読媒体に結合された少なくとも１つのプロセッサであって、前記コンピュータ実行可能命令を実行することにより、
ページング無線ネットワーク一時識別子（Ｐ−ＲＮＴＩ）によってスクランブルされた巡回冗長検査（ＣＲＣ）を有するダウンリンク制御情報（ＤＣＩ）を基地局から受信し、
前記ＤＣＩ内のショートメッセージインジケータが、ページングのためのスケジューリング情報とショートメッセージの両方が当該ＤＣＩ内に存在することを示す場合に、当該ＤＣＩ内の前記ショートメッセージ内のシステム情報（ＳＩ）修正ビットをチェックし、
前記ショートメッセージ内において前記ＳＩ修正ビットがセットされている場合にＳＩ取得手順を実行する、ように構成されている、少なくとも１つのプロセッサと、を含むユーザ機器（ＵＥ）。
【請求項１２】
前記ショートメッセージは、地震および津波警報システム（ＥＴＷＳ）通知および商用携帯警報システム（ＣＭＡＳ）通知の両方のための１つのＰＷＳ通知ビットを含む、請求項１１に記載のＵＥ。
【請求項１３】
前記少なくとも１つのプロセッサは、前記コンピュータ実行可能命令を実行することにより、前記ショートメッセージインジケータが前記ページングのためのスケジューリング情報が前記ＤＣＩ内に存在することを示すときに、前記基地局からページングメッセージを受信するようにさらに構成され、
前記ページングメッセージはＳＩ修正に関する指示情報を含まない、請求項１１に記載のＵＥ。
【請求項１４】
前記ページングメッセージは、更新されたシステム情報を含む、請求項１３に記載のＵＥ。
【請求項１５】
前記ページングメッセージは、マスタ情報ブロック（ＭＩＢ）、システム情報ブロックタイプ１（ＳＩＢ１）、更新されたＳＩＢ、更新されたＳＩＢ  ＩＤ、および更新されたＳＩメッセージＩＤのうちの少なくとも１つを含む、請求項１３に記載のＵＥ。
【請求項１６】
前記ショートメッセージは、異なる無線リソース制御（ＲＲＣ）状態の前記ＵＥが前記ＳＩ取得手順を実行するかどうかを示すフィールドをさらに含む、請求項１１に記載のＵＥ。
【請求項１７】
前記Ｐ−ＲＮＴＩの値は、ＲＲＣ状態のために前もって設定されている、請求項１１に記載のＵＥ。
【請求項１８】
前記ショートメッセージは、前記ＵＥがどの帯域幅部分（ＢＷＰ）においてＭＩＢを読み取るかを示すフィールドをさらに含む、請求項１１に記載のＵＥ。
【請求項１９】
前記少なくとも１つのプロセッサは、前記コンピュータ実行可能命令を実行することにより、
前記ＤＣＩ内の前記ショートメッセージインジケータが、前記ＤＣＩ内に前記ショートメッセージは存在するが、前記ページングのためのスケジューリング情報は存在しないことを示す場合、前記ＤＣＩ内の前記ショートメッセージ内の前記ＳＩ修正ビットをチェックするようにさらに構成されている、請求項１に記載のＵＥ。
【請求項２０】
前記少なくとも１つのプロセッサは、前記コンピュータ実行可能命令を実行することにより、
前記ショートメッセージ内において前記ＳＩ修正ビットがセットされている場合、前記ＵＥのＢＷＰ非アクティビティタイマを停止するようにさらに構成されている、請求項１１に記載のＵＥ。
【発明の詳細な説明】
【技術分野】
【０００１】
（関連出願とのクロスレファレンス）
本出願は、２０１８年４月１２日に出願された米国特許仮出願第62/656,827号、発明の名称「Short Message and Paging Message Design for System Information Modification and Acquisition Procedure」、代理人整理番号US73396（以下、「US73396出願」と呼ぶ）の利益および優先権を主張する。US73396出願の開示は、参照により本出願に完全に組み込まれる。
【０００２】
（分野）
本開示は、概して、無線通信に関し、より詳細には、次世代無線通信ネットワークのためのシステム情報（ＳＩ：System Information）の修正および取得手順に関する。
【背景技術】
【０００３】
ロングタームエボリューション（ＬＴＥ：Long Term Evolution）では、ユーザ機器（ＵＥ：User Equipment）は、プライマリセル（ＰＣｅｌｌ：Primary Cell）のためのシステム情報（ＳＩ）の取得および変更の監視の手順を適用する。システム情報は特定の理由のために変更される場合があるが、システム情報の変更は、特定の無線フレーム、例えば、修正期間（Modification Period）において生じる。システム情報は、そのスケジューリングによって規定されるように、修正期間内に同じ内容で複数回送信されてもよい。システム情報の変更は、ＬＴＥにおけるページングを通じてＵＥに示され得る。
【０００４】
次世代無線通信システム（例えば、５Ｇ新無線（ＮＲ：New Radio））のために、データ速度、レイテンシ、信頼性、およびモビリティのような、無線通信の異なる側面を改善するための様々な努力がなされてきた。例えば、オンデマンドＳＩ要求手順と帯域幅部分（ＢＷＰ：Bandwidth Part）スイッチング動作をＮＲに導入した。しかしながら、ＮＲにおけるシステム情報の修正にどのように対処するかは、依然として課題である。したがって、次世代無線通信ネットワークのための効率的なＳＩの修正および取得手順を提供する必要がある。
【発明の概要】
【０００５】
本開示は、次世代無線通信ネットワークのためのＳＩの修正および取得手順を対象とする。
【０００６】
本開示の一態様によれば、ＵＥによって実行される無線通信の方法が提供される。この方法は、Ｐ−ＲＮＴＩによってスクランブルされたＣＲＣを有するＤＣＩを基地局から受信するステップと、ＤＣＩ内のショートメッセージインジケータが、ページングのためのスケジューリング情報およびショートメッセージの両方がＤＣＩ内に存在することを示す場合に、ＤＣＩ内のショートメッセージ内のシステム情報（ＳＩ）修正ビットをチェックするステップと、ショートメッセージ内においてＳＩ修正ビットがセットされている場合にＳＩ取得手順を実行するステップと、を含む。
【０００７】
本開示の別の態様によれば、ＵＥが提供される。このＵＥは、コンピュータ実行可能命令が組み込まれた１つ以上の非一時的コンピュータ可読媒体と、前記１つ以上の非一時的コンピュータ可読媒体に結合された少なくとも１つのプロセッサとを含む。少なくとも１つのプロセッサは、コンピュータ実行可能命令を実行することにより、Ｐ−ＲＮＴＩによってスクランブルされたＣＲＣを有するＤＣＩを基地局から受信し、ＤＣＩ内のショートメッセージインジケータが、ページングのためのスケジューリング情報およびショートメッセージの両方がＤＣＩ内に存在することを示す場合に、ＤＣＩ内のショートメッセージ内のシステム情報（ＳＩ）修正ビットをチェックし、ショートメッセージ内においてＳＩ修正ビットがセットされている場合にＳＩ取得手順を実行するように構成されている。
【図面の簡単な説明】
【０００８】
例示的な開示の態様は、添付の図面と共に読まれるとき、以下の詳細な説明から最も良く理解される。様々な特徴は、一定の縮尺で描かれておらず、様々な特徴の寸法は議論を明確にするために任意に増減されてもよい。
【図１】本出願の例示的な実施形態に係る、修正期間内のＳＩ変更通知の一例を示す図である。
【図２】本出願の例示的な実施形態に係る、現在のアクティブＢＷＰが、ＰＢＣＨでブロードキャストされるＭＩＢを含むＳＳＢと重複することを示す例示的なスペクトルを示す。
【図３】本出願の例示的な実施形態に係る、現在のアクティブＢＷＰが、ＰＢＣＨでブロードキャストされるＭＩＢを含むＳＳＢと重複しないことを示す例示的なスペクトルを示す。
【図４Ａ】本出願の例示的な実施形態に係る、ページングメッセージの１つのフォーマットを示す。
【図４Ｂ】本出願の例示的な実施形態に係る、ページングメッセージの別のフォーマットを示す。
【図５】本出願の例示的な実施形態に係る、ページングメッセージの別のフォーマットを示す。
【図６】本出願の例示的な実施形態に係る、ページングメッセージの別のフォーマットを示す。
【図７】本出願の例示的な実施形態に係る、ページングメッセージの別のフォーマットを示す。
【図８】本出願の例示的な実施形態に係る、ページングメッセージの別のフォーマットを示す。
【図９】本出願の例示的な実施形態に係る、ページングメッセージの別のフォーマットを示す。
【図１０】本出願の例示的な実施形態に係る、ＵＥによって実行される無線通信の方法のフローチャートを示す。
【図１１】本出願の様々な態様に係る、無線通信のためのノードのブロック図を示す。
【発明を実施するための形態】
【０００９】
以下の説明は、本開示における典型的な実施形態に関連する特定の情報を含む。本開示における図面およびそれらの添付の詳細な説明は、単に典型的な実施形態に向けられている。しかし、本開示は、これらの典型的な実施形態のみに限定されるものではない。本開示の他の変形および実施形態は、当業者には想起されるであろう。特に断らない限り、図同士の間での同様のまたは対応する要素は、同様のまたは対応する参照番号によって示されてもよい。さらに、本開示における図面および例示は、概して、一定の縮尺ではなく、実際の相対的な寸法に対応することを意図していない。
【００１０】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００１１】
本明細書では、「一実施形態で」または「いくつかの実施形態で」という語句を使用するが、それぞれが同じまたは異なる実施形態のうちの１つ以上を指すことがある。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、「〜を含む（include）が、必ずしもこれに限定されない」ことを意味する。特に、そのように記載された組み合わせ、グループ、シリーズ、および均等物におけるオープンエンドの包含またはメンバーシップを示す。「Ａ、Ｂ、およびＣのうちの少なくとも１つ」または「以下のＡ、Ｂ、およびＣのうちの少なくとも１つ」という表現は、「Ａのみ、またはＢのみ、またはＣのみ、またはＡ、ＢおよびＣの任意の組み合わせ」を意味する。
【００１２】
さらに、説明および非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００１３】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアの実装は、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイ、および／または、１つ以上のデジタルシグナルプロセッサ（ＤＳＰ）を用いたものであってもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００１４】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、フラッシュメモリ、コンパクトディスク読取り専用メモリ（ＣＤ‐ＲＯＭ）、磁気カセット、磁気テープ、磁気ディスク記憶装置、またはコンピュータ読み取り可能な命令を記憶できる任意の他の同等の媒体が挙げられるが、これらに限定されない。
【００１５】
無線通信ネットワークアーキテクチャ（例えば、ロングタームエボリューション（ＬＴＥ）システム、ＬＴＥアドバンスト（ＬＴＥ−Ａ：LTE-Advanced）システム、ＬＴＥアドバンストＰｒｏシステム、または５Ｇ新無線（ＮＲ）無線アクセスネットワーク）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ：Core Network）、進化型パケットコア（ＥＰＣ：Evolved Packet Core）ネットワーク、発展型ユニバーサル無線地上波アクセスネットワーク（Ｅ−ＵＴＲＡＮ：Evolved Universal Terrestrial Radio Access Network）、５Ｇコア（５ＧＣ：5G Core）、またはインターネット）と、１つ以上の基地局によって設定された無線アクセスネットワーク（ＲＡＮ：Radio Access Network）を通じて、通信する。
【００１６】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、空気インタフェース上で、信号を送受信するよう構成されている。
【００１７】
基地局は、ＵＭＴＳにおけるようなノードＢ（ＮＢ：Node B）、ＬＴＥ−Ａにおけるような発展型ノードＢ（ｅＮＢ：evolved Node B）、ＵＭＴＳにおけるような無線ネットワークコントローラ（ＲＮＣ：Radio Network Controller）、ＧＳＭ（登録商標）／ＧＥＲＡＮにおけるような基地局コントローラ（ＢＳＣ：Base Station Controller）、５ＧＣに関連するＥ−ＵＴＲＡ基地局におけるようなｎｇ−ｅＮＢ、５Ｇ−ＲＡＮにおけるような次世代ノードＢ（ｇＮＢ）、およびセル内の無線通信を制御し、無線リソースを管理することができる任意の他の装置を含むことができるが、これらに限定されない。基地局は、ネットワークへの無線インタフェースを介して１つ以上のＵＥにサービスを提供するように接続してもよい。
【００１８】
基地局は、以下の無線アクセス技術（ＲＡＴｓ：Radio Access Technologies）のうち少なくとも１つに従って、通信サービスを提供するように構成されてもよい。上記無線アクセス技術（ＲＡＴｓ）としては、マイクロ波アクセスのための世界相互運用性（ＷｉＭＡＸ：Worldwide Interoperability for Microwave Access）、グローバルモバイル通信システム（ＧＳＭ（登録商標）：Global System for Mobile communications、２Ｇと称されることが多い）、ＧＳＭ（登録商標）ＥＤＧＥ無線アクセスネットワーク（ＧＥＲＡＮ：GSM EDGE radio access Network）、汎用パケット無線サービス（ＧＲＰＳ：General Packet Radio Service）、基本広帯域符号分割多元接続（Ｗ−ＣＤＭＡ）に基づいたユニバーサル・モバイル・テレコミュニケーション・システム（ＵＭＴＳ：Universal Mobile Telecommunication System、３Ｇと称されることが多い）、高速パケットアクセスシステム（ＨＳＰＡ：High-Speed Packet Access）、ＬＴＥ、ＬＴＥ−Ａ、ｅＬＴＥ（evolved LTE）、新無線（ＮＲ、５Ｇと称されることが多い）および／またはＬＴＥ−Ａ  Ｐｒｏが挙げられる。しかし、本出願の範囲は、上述のプロトコルに限定すべきではない。      
【００１９】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１つ以上のＵＥにサービスを提供する（例えば、各セルは、ダウンリンクおよび任意でアップリンクのパケット送信のために、その無線カバレッジ内の少なくとも１つのＵＥにダウンリンクおよび任意でアップリンクのリソースをスケジューリングする）。基地局は、複数のセルを介して無線通信システム内の１つ以上のＵＥと通信してもよい。セルは、近接サービス（ＰｒｏＳｅ：Proximity Service）またはビークル・トゥ・エブリシング（Ｖ２Ｘ：Vehicle to Everything）サービスをサポートするために、サイドリンク（ＳＬ：sidelink）リソースを割り当ててもよい。各セルは、他のセルと重複するカバレージ領域を有してもよい。
【００２０】
上述のように、ＮＲのフレーム構造は、高信頼性、高データ速度、および低レイテンシ要件を満たしながら、拡張モバイルブロードバンド（ｅＭＢＢ：enhanced Mobile Broadband）、大規模マシンタイプ通信（ｍＭＴＣ：massive Machine Type Communication）、超信頼通信、および低レイテンシ通信（ＵＲＬＬＣ：Ultra Reliable Communication and Low Latency Communication）などの様々な次世代（例えば、５Ｇ）通信要件に対応するためのフレキシブルな構成をサポートする。３ＧＰＰで合意された直交周波数分割多重（ＯＦＤＭ）技術は、ＮＲの波形の基礎として機能してもよい。アダプティブサブキャリアスペーシング（adaptive sub-carrier spacing）、チャネル帯域幅（channel bandwidth）、およびサイクリックプレフィックス（ＣＰ：Cyclic Prefix）などのスケーラブルＯＦＤＭニューメロロジー（scalable OFDM numerology）も使用してもよい。さらに、ＮＲには（１）低密度パリティチェック（ＬＤＰＣ：Low-Density Parity-Check）符号および（２）ポーラ符号（Polar Code）の２つの符号化方式が考えられる。符号化スキーム適応は、チャネル条件および／またはサービスアプリケーションに基づいて構成され得る。
【００２１】
さらに、単一のＮＲフレームの送信時間間隔ＴＸには、ダウンリンク（ＤＬ：downlink）送信データ、ガード期間、およびアップリンク（ＵＬ：uplink）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスまたはＶ２ＸサービスをサポートするためにＮＲフレームで提供されてもよい。
【００２２】
図１は、本出願の例示的な実施形態に係る、修正期間内のＳＩ変更通知の一例を示す図である。図１００に示すように、ネットワーク（以下の説明ではＮＷとも呼ばれる）がシステム情報（の一部）を変更すると、ＮＷは最初に第１の修正期間１３１でこの変更についてＵＥに通知してもよい。第２の修正期間１３２では、ネットワークが更新されたシステム情報（例えば、元のシステム情報１０１と比較して、更新されたシステム情報１０２）をＵＥに送信してもよい。ＬＴＥでは、システム情報がマスタ情報ブロック（ＭＩＢ）と、多数のシステム情報ブロック（ＳＩＢ）とに分割され得る。ＭＩＢは、セルから他の情報を取得するために必要とされる、最も本質的で最も頻繁に送信される限られた数のパラメータを含むことができ、物理ブロードキャストチャネル（ＰＢＣＨ）にマップされるブロードキャストチャネル（ＢＣＨ）で送信され得る。システム情報ブロックタイプ１（SystemInformationBlockType1またはＳＩＢ１）以外のＳＩＢはシステム情報（ＳＩ）メッセージで搬送されてもよく、ＳＩメッセージへのＳＩＢのマッピングはSystemInformationBlockType1に含まれるスケジューリング情報リスト（schedulingInfoList）によって柔軟に構成可能であってもよい。接続されたＵＥの場合、ＵＥは、少なくともMasterInformationBlock（ＭＩＢ）、SystemInformationBlockType1（ＳＩＢ１）、およびシステム情報ブロックタイプ２（SystemInformationBlockType2 またはＳＩＢ２）を取得できる。ＳＩＢ１は、ＵＥがセルにアクセスすることを許可されているかどうかを評価し、他のシステム情報のスケジューリングを定義することに関連する情報を含むことができる。ＳＩＢ２は、すべてのＵＥに共通の無線リソース構成情報を含むことができる。
【００２３】
ＬＴＥでは、ＲＲＣ＿ＩＤＬＥ状態のＵＥとＲＲＣ＿ＣＯＮＮＥＣＴＥＤ状態のＵＥにシステム情報の変更を通知するためにページングメッセージを使用してもよい。ＵＥは、システム情報修正（systemInfoModification）フィールドを含むページングメッセージを受信した場合、システム情報が次の修正期間内に変更されると判断してもよい。そして、ＵＥは、システム情報取得手順を実行し、変更されたシステム情報を更新してよい。ＵＥはシステム情報の変更について通知されてもよいが、さらなる詳細（例えば、どのシステム情報が変更されるかに関する）は提供されなくてもよい。ＵＥは、システム情報修正フィールドを含むページングメッセージを受信した後、次の修正期間の開始から直ちに新しいシステム情報を取得してもよい。
【００２４】
一方、ＵＥがetws-Indicationまたはcmas-Indicationを含むページングメッセージを受信した場合、ＵＥは、ＵＥがSystemInformationBlockType1内のschedulingInfoListを再取得するまで、以前に取得したschedulingInfoListに基づいて、地震および津波警報システム（ＥＴＷＳ：Earthquake and Tsunami Warning System）または商用携帯警報システム（ＣＭＡＳ：Commercial Mobile Alert System）通知の受信を開始することができる。ページングメッセージは、ＵＥが、対応するＥＴＷＳまたはＣＡＭＳ通知に関連するＳＩＢの変更をスケジューリングするために、SystemInformationBlockType1に含まれるschedulingInfoListを再取得することのトリガになりうる。対応するＥＴＷＳまたはＣＡＭＳ通知に関連するＳＩＢがスケジュールされなくなると、ＵＥは、ＳＩＢの受信を停止してよい。
【００２５】
新無線（ＮＲ）では、システム情報（ＳＩ）は最小ＳＩと他のＳＩに分けられてよい。最小ＳＩは定期的にブロードキャストされてもよく、初期アクセスに必要な基本情報と、定期的にブロードキャストされ、または、オンデマンドで提供される任意の他のＳＩを取得するための情報（例えば、スケジューリング情報）とを含んでもよい。他のＳＩは、最小ＳＩでブロードキャストされないすべてのものを含むことができ、ブロードキャストされてもよく、または専用の方法で提供されてもよい。他のＳＩは、設定可能な周期で、一定の期間にわたって、ブロードキャストされてもよい。ネットワークは、他のＳＩがブロードキャストされるか、または専用かつＵＥ固有のＲＲＣシグナリングを介して配信されるかを決定してよい。ＵＥは、システム情報修正があるという情報を取得すると、次の修正期間に更新されたＳＩ（ＥＴＷＳまたはＣＭＡＳ通知を除く）を取得してよい。ＥＴＷＳまたはＣＭＡＳ指示に関しては、ＵＥはＥＴＷＳまたはＣＭＡＳ通知を即座に取得してよい。
【００２６】
最小ＳＩは２つの部分に分けられてよい。最小ＳＩの第１の部分（ＮＲマスタ情報ブロック（NR Master Information Block）またはＮＲ  ＭＩＢと呼ばれることがある）は、ＰＢＣＨを介して送信してよい。ＮＲ  ＭＩＢは、少なくとも、システムフレーム番号（ＳＦＮ）、最小ＳＩの第２の部分（残りの最小ＳＩ（Remaining Minimum SI）またはＲＭＳＩと呼ばれることがある）のスケジューリング、「cellBarred」ＩＥ（ＵＥがセルにとどまれないことを示す）、および「intraFreqReselection」ＩＥ（セル状態が「barred」と表示されている場合、ＵＥが一定期間、セル選択／再選択手順の候補として同じ周波数のセルを除外するかどうかを示す）に関する情報を含んでよい。ＲＭＳＩは、少なくとも、ＳＩブロックのセットを含む各ＳＩメッセージの共通のＲＡＣＨ構成およびスケジューリング情報を含んでよい。ＲＭＳＩは、ＮＲシステム情報ブロックタイプ１またはＮＲ  ＳＩＢ１と呼んでよい。
【００２７】
一実施形態では、ＮＲ−ＰＢＣＨは５６ビット（ＣＲＣを含む）のペイロードサイズを有してよい。ＮＲ−ＰＢＣＨは、１０ビットのＳＦＮを伝送してよい。ＮＲ−ＰＢＣＨでは、単一のビットを用いて、ＲＭＳＩのニューメロロジー（numerology）、初期アクセスのためのＭｓｇ．２／４、およびブロードキャストされるその他のシステム情報（ＯＳＩ：Other System Information）を示してよい。ＲＭＳＩ、およびＰＤＣＣＨスケジューリングＲＭＳＩを含むＣＯＲＥＳＥＴのための帯域幅は、少なくともＳＳ／ＰＢＣＨと同じ帯域幅をサポートしてよい。初期アクティブＤＬ帯域幅部分（ＢＷＰ）は、ＲＭＳＩ  ＣＯＲＥＳＥＴの周波数位置および帯域幅、ならびにＲＭＳＩのニューメロロジーとして定義してよい。ＲＭＳＩを配信する物理ダウンリンク共有チャネル（ＰＤＳＣＨ）は、初期アクティブＤＬ  ＢＷＰ内に限定してよい。ブロードキャストされるＯＳＩ  ＣＯＲＥＳＥＴの以下のパラメータ、すなわち、ＳＩウィンドウ構成、例えば、時間オフセット、期間、および周期を、対応するＲＭＳＩにおいて明示的に信号伝達してよい。ブロードキャストされるＯＳＩ  ＣＯＲＥＳＥＴの以下のパラメータ、すなわち、周波数位置、帯域幅、およびニューメロロジーは、対応するＲＭＳＩ  ＣＯＲＥＳＥＴのパラメータと同じでよい。接続状態のＵＥの場合、非ブロードキャストオンデマンド（例えば、専用）のＯＳＩ送信は、ｇＮＢスケジューリング次第である（例えば、非ブロードキャストオンデマンドのＯＳＩ  ＣＯＲＥＳＥＴに対する特定の処理はない）。
【００２８】
さらに、省電力のために、帯域幅部分（ＢＷＰ）の概念をＮＲに導入する。ＢＷＰの概念を使用すると、ＵＥは広帯域担体（例えば、ＮＲ−ＡＲＦＣＮ（New Radio-Absolute Radio Frequency Channel Number））の帯域幅全体を監視する必要がなくなる。各ＵＥ固有のサービングセルについて、１つ以上のＤＬ  ＢＷＰおよび１つ以上のＵＬ  ＢＷＰは、専用ＲＲＣシグナリングを介して構成され得る。ＵＥの場合、サービングセルの所与の時間に、多くとも１つのアクティブＤＬ  ＢＷＰと多くとも１つのアクティブＵＬ  ＢＷＰとが存在し得る。一つのサービングセルの異なるＢＷＰ間で切り替えるために、単一のスケジューリングダウンリンク制御情報（ＤＣＩ：Downlink Control Information）を使用して、ＵＥのアクティブＢＷＰを１つのＢＷＰから（同じリンク方向の）別のＢＷＰに切り替えることができる。さらに、タイマベースのソリューションを使用して、アクティブＤＬ  ＢＷＰをデフォルトのＢＷＰに切り替えることができる。具体的には、タイマ（例えば、ＢＷＰ非アクティブタイマ）を使用して、一定の非アクティブ期間の後にアクティブＢＷＰをデフォルトＢＷＰに切り替えることができる。
【００２９】
さらに、ＮＲでは、オンデマンドＳＩ要求手順の概念も導入する。ＩＤＬＥ状態または非アクティブ状態のＵＥの場合、ＵＥが、ＮＲ  ＳＩＢ１に含まれる情報（例えば、対応するＳＩメッセージが現在ブロードキャストされているかどうかを示すための１ビットインジケータ）およびＳＩＢのＳＩメッセージへのマッピングに基づいて、必要なＳＩＢがブロードキャストされていないことを見つけると、ＵＥは、オンデマンドＳＩ要求手順を実行し、必要なＳＩＢまたはＳＩメッセージをブロードキャストするようにネットワーク（ＮＷ）に要求することができる。
【００３０】
本実施形態のいくつかでは、ＳＩ変更／更新は、ページングを通じてＵＥに示されてもよい。ＲＲＣ＿ＩＤＬＥまたはＲＲＣ＿ＩＮＡＣＴＩＶＥであるＵＥは自身のページング機会（例えば、すべての不連続受信（ＤＲＸ：Discontinuous Reception）サイクル）においてＳＩ変更指示を監視してよい。一方、ＲＲＣ＿ＣＯＮＮＥＣＴＥＤであるＵＥは、任意のページング機会においてＳＩ変更指示を監視してよい（例えば、ＵＥがアクティブＢＷＰで共通のサーチスペースを提供されて、接続状態においてページングを監視する場合）。ＵＥがＳＩ変更指示を受信した場合、ＵＥは、ＮＷが更新されたＳＩをブロードキャストすると仮定して（更新されたＳＩがオンデマンドＳＩであっても）、次の修正期間境界で更新されたＳＩを取得してよい。なお、本開示において、「ＳＩ変更」、「ＳＩ修正」、「ＳＩ更新」というタームは互換的に使用されてもよいことに留意されたい。ＳＩ変更指示（またはＳＩ修正指示、またはＳＩ更新指示）はシステム情報が修正されたかどうかを示してもよい。また、以下の説明において、「ページングを監視するための共通のサーチスペース」というタームは「ページングサーチスペース」とも呼ばれることに留意されたい。
【００３１】
一実施形態では、ＳＩ変更指示は、ページングメッセージに含まれてもよい。一実施形態では、ＳＩ変更指示は、ＤＣＩに含まれてもよく、ＤＣＩは、ページング無線ネットワーク一時識別子（Ｐ−ＲＮＴＩ：Paging-Radio Network Temporary Identifier）によってスクランブルされた巡回冗長検査（ＣＲＣ：Cyclic Redundancy Check）とともに送信される。一実施形態では、ＳＩ変更指示は、ＳＩ修正ビットであってもよい。Ｐ−ＲＮＴＩによってスクランブルされたＣＲＣとともに送信されるＤＣＩはショートメッセージを含んでよく、当該ショートメッセージはＳＩ修正ビットを含んでよい。一実施形態では、ＤＣＩは、Ｐ−ＲＮＴＩによってスクランブルされたＣＲＣを有するＤＣＩフォーマット１＿０によって送信されてもよい。ＤＣＩはショートメッセージを含んでよく、当該ショートメッセージはＳＩ修正ビットを含んでよい。
【００３２】
ブロードキャストされるＳＩがＵＥのアクティブＢＷＰ内に提供される場合、ＵＥは、接続された状態に必要なブロードキャストされるＳＩをＵＥのアクティブＢＷＰから取得してよい。特に、ＳＩが初期ＢＷＰのニューメロロジーとは異なるニューメロロジーを用いてＵＥのアクティブＢＷＰにおいてブロードキャストされることを許可されない場合、無線リソース消費がかなりの量になるため、各ＵＥ固有のアクティブＢＷＰにおけるＮＲ  ＳＩＢ１およびＯＳＩのための共通のサーチスペースを構成しなくてよい。更新されたＳＩを配信するために専用シグナリングを使用すると、リソースの浪費およびニューメロロジーの不一致という同じ問題が発生する可能性がある。さらに、ＳＩ取得のためにＵＥを別のＢＷＰに切り替えると、進行中のサービスの品質の維持に影響を及ぼす可能性がある。一方、異なるＢＷＰにおいてＳＩメッセージをブロードキャストするために無線リソースを使用することは、非効率的であり得る。
【００３３】
本実施形態のいくつかでは、ページングメッセージを使用して、ＳＩ修正、または公衆警告システム通知指示（例えば、ＥＴＷＳまたはＣＭＡＳ）をＩＤＬＥ／非アクティブ状態のＵＥ、接続状態のＵＥに通知してよい。ただし、ＩＤＬＥ／非アクティブなＵＥおよび接続されたＵＥのために必要とされるＳＩＢは、異なっていてもよい。ＩＤＬＥなＵＥ、非アクティブなＵＥ、接続されたＵＥ、またはＵＥの３つの状態すべてに対して、更新されたＳＩが必要であるかどうかを通知し、不要なＳＩ取得手順の数を減らすのが有益でありうる。
【００３４】
上述したように、ＮＲでは、ＩＤＬＥ／非アクティブＵＥは、初期ＤＬ  ＢＷＰ内のシステム情報およびページング情報を監視してよい。一方、接続状態のＵＥは、ページングサーチスペースがすべてのＤＬ  ＢＷＰで提供されるという前提に基づいて、アクティブＤＬ  ＢＷＰのページングサーチスペースのページング情報を監視してよい。
【００３５】
ＵＥがＰ−ＲＮＴＩによってスクランブルされたＣＲＣとともに送信されたＤＣＩを基地局から受信すると、ＵＥは、ＤＣＩ内のショートメッセージインジケータをチェックしてよい。一実施形態では、ショートメッセージインジケータは１ビットの情報であってもよい。このビットを用いて、ショートメッセージのみ、またはスケジューリング情報のみがＤＣＩで伝送されるかどうかを示してよい。
【００３６】
例えば、本実施形態のいくつかの態様では、１ビットインジケータが０である場合、ショートメッセージインジケータは、これが関連するＰＤＳＣＨなしでショートメッセージを搬送する特殊なＤＣＩであることを示し得る。ＵＥは、この特殊なＤＣＩの対応するショートメッセージで搬送される情報をチェックして、関連するアクションを実行してよい。いくつかのそのような実施形態では、１ビットインジケータが１である場合、ショートメッセージインジケータは、これが関連するＰＤＳＣＨをスケジュールするための制御情報を搬送する通常のＤＣＩであることを示し得る。ＵＥは、スケジュールされたＰＤＳＣＨに基づいて、関連するページングメッセージを受信することができる。ここで与えられた例は、限定ではなく単なる例示であることに留意されたい。他の実施形態において、ショートメッセージインジケータは複数のビットを含んでよい。
【００３７】
一実施形態では、ショートメッセージインジケータは、ショートメッセージがＤＣＩ内にあるかどうかを示すことができる。ショートメッセージインジケータは、ページングのためのスケジューリング情報がＤＣＩ内にあるかどうかを示すこともできる。例えば、ページングのためのスケジューリング情報がＤＣＩ内にある場合、ＤＣＩは関連するＰＤＳＣＨをスケジュールするための制御情報を搬送することができ、ＵＥは、スケジュールされたＰＤＳＣＨに基づいて関連するページングメッセージを受信することができる。ショートメッセージのみがＤＣＩ内に存在する場合、ＤＣＩは、関連するＰＤＳＣＨなしでショートメッセージを搬送することができる。ページングのためのスケジューリング情報とショートメッセージの両方がＤＣＩに存在することも可能である。
【００３８】
一実施形態では、ショートメッセージは、「ＳＩ修正指示」を表す情報ビットを含むことができる（この情報ビットは、以下の説明ではＳＩ修正ビットと呼ばれることもある）。ＳＩ修正ビットは、システム情報が修正されているかどうかを示すことができる。ＳＩ修正ビットがセットされている（例えば、ビットの値が１にセットされている）場合、ＵＥは、ＳＩ取得手順を実行して更新されたＳＩを取得することができる。一実施形態では、「ＳＩ修正指示」を表す情報ビットはショートメッセージでのみ搬送することができ、「ＳＩ修正指示」を表す情報ビットはページングメッセージでは搬送することができない。
【００３９】
ページングのためのスケジューリング情報とショートメッセージの両方がＤＣＩに存在する場合、ショートメッセージとページングメッセージの両方が、本実施形態のいくつかで使用されてもよい。一実施形態では、「ＳＩ修正指示」を表す情報ビットはショートメッセージで搬送されてよく、一方、ＳＩ修正情報（例えば、ＭＩＢまたはＭＩＢ関連コンテンツ、ＳＩＢ１またはＳＩＢ１関連コンテンツ、または更新されたＳＩＢ）は、スケジュールされたＰＤＳＣＨに基づいてページングメッセージで搬送されてもよい。
【００４０】
一実施形態では、ショートメッセージは、少なくとも、ＳＩ修正指示および公衆警告システム（ＰＷＳ）通知指示の関連ビットを含んでよい。ＰＷＳ通知指示の場合、一実施形態では、ＥＴＷＳのための１つの情報ビットと、ＣＭＡＳのための１つの情報ビットとが存在してよい。別の実施形態では、ショートメッセージは、ＰＷＳ通知指示のための１つの情報ビットを含んでよい。この単一のＰＷＳ通知ビットは、ＥＴＷＳ通知およびＣＭＡＳ通知の両方に使用してよい。ショートメッセージは、他の情報ビットを含んでもよい。
【００４１】
以下では、ショートメッセージに関するさまざまな実施形態について説明する。
【００４２】
ケース１−１：本実施形態のいくつかでは、ショートメッセージは、当該ショートメッセージ内においてＳＩ修正ビットがセットされている場合に、異なるＲＲＣ状態のＵＥがＳＩ取得手順を実行することができるかどうかを示すフィールド（１つ以上のビットを含むことができる）を含んでよい。例えば、ショートメッセージは、接続されたＵＥ、ＩＤＬＥ／非アクティブＵＥ、または接続されたＵＥおよびＩＤＬＥ／非アクティブＵＥの両方にＳＩ修正が必要であるかどうかを示す１つ以上の情報ビットを含んでよい。
【００４３】
ケース１−１では、ショートメッセージには、接続されたＵＥにＳＩ修正が必要であるか、またはＩＤＬＥ／非アクティブＵＥにＳＩ修正が必要であるかを示す２つの情報ビット（例えば、「接続指示に必要」なビットおよび「ＩＤＬＥ／非アクティブ指示に必要」なビット）がある。以下の表１は、ショートメッセージのビットおよび対応する情報の例示的な実施形態を示す。表１のビット１は、ＳＩ修正ビットである。本実施形態のいくつかの態様では、セル再選択構成／パラメータに関連する１つ以上のＳＩＢ、またはオンデマンドＳＩＢは、ＩＤＬＥ／非アクティブＵＥ（例えば、ＩＤＬＥ／非アクティブ状態に関連するアクセス制御構成／パラメータ）だけに必要とされてよい。本実施形態のいくつかの態様では、異なるサービスタイプの構成／パラメータに関連する１つ以上のＳＩＢ、または接続された状態に関連するアクセス制御構成／パラメータは、接続されたＵＥだけに必要とされてよい。本実施形態のいくつかの態様では、共通のランダムアクセス（ＲＡ）構成／パラメータおよびＳＩスケジューリング情報（例えば、ＮＲ  ＳＩＢ  １）を含み得る１つ以上のＳＩＢは、３つの状態すべてのＵＥに必要とされてよい。ＵＥは不要なＳＩのためのＳＩ取得手順を実行する必要がない場合があるため、ショートメッセージは、ＵＥが不要なＳＩ取得手順を実行する必要がないように、接続されたＵＥのみ、ＩＤＬＥ／非アクティブＵＥのみ、またはすべての異なるＵＥ状態に対してＳＩ修正が必要であるかどうかを示す情報ビットを含んでよい。
【００４４】
【表１】
2021516508.tif 000003
【００４５】
接続状態からＩＤＬＥ／非アクティブ状態への遷移する場合、ＵＥは、ＩＤＬＥ／非アクティブ状態に必要なＳＩＢを取得するためにＳＩ取得手順を実行する必要があることに留意されたい。ＩＤＬＥ／非アクティブ状態に必要なＳＩＢがブロードキャストされない場合、ＵＥはＳＩ要求手順を実行して、ＮＷに、ＩＤＬＥ／非アクティブ状態に必要なＳＩＢをブロードキャストするように要求してよい。あるいは、ＮＷは、ＩＤＬＥまたは非アクティブ状態に入るようにＵＥに命令するために使用され得るＲＲＣシグナリング（例えば、ＲＲＣ接続解除メッセージ（RRC Connection Release message））を介して、ＩＤＬＥ／非アクティブ状態のための最新の必要なＳＩＢをＵＥに提供してもよい。ＩＤＬＥまたは非アクティブ状態に入るようにＵＥに命令するために使用されるＩＤＬＥ／非アクティブ状態のための最新の必要なＳＩＢを（例えば、ＲＲＣシグナリングを介して）ＵＥが受信するとき、ＵＥは、ＳＩ取得手順またはＳＩ要求手順を実行する必要がなくてよい。
【００４６】
ＵＥがＰ−ＲＮＴＩによってスクランブルされたＣＲＣを有するＤＣＩを受信した場合（このＤＣＩは以下の説明ではページングのＤＣＩとも呼ばれる）、ＵＥはＤＣＩ内のショートメッセージインジケータをチェックすることができる。ショートメッセージがＤＣＩ内に存在しないことをショートメッセージインジケータが示す場合、ＵＥは、ページングが、ＳＩ修正をＵＥに通知するためのものではないことを知ることができる。ショートメッセージがＤＣＩ内に存在することをショートメッセージインジケータが示す場合、ＵＥは、ページングがＳＩ修正をＵＥに通知するためのものであることを知ることができる。例えば、ＤＣＩは、関連するＰＤＳＣＨなしでショートメッセージを搬送する特殊なＤＣＩ（または関連するＰＤＳＣＨを有するショートメッセージを搬送するＤＣＩ）であってもよい。次いで、ＵＥは、「接続指示に必要」および「ＩＤＬＥ／非アクティブ指示に必要」を表すショートメッセージ中の情報ビットをさらにチェックすることができる。
【００４７】
本実施形態のいくつかの態様では、「接続指示に必要」を表すビットが特定の値（例えば、１）にセットされ、接続されたＵＥに更新されたＳＩＢが必要であることをＵＥに通知する場合、接続された状態のＵＥはＳＩ取得手順を実行して、更新されたＳＩＢを取得してよい。ＳＩ取得手順を実行するために、ＵＥは、提供される場合、現在のアクティブＢＷＰ上のＭＩＢ（もしあるならば）を最初に読み取ってよいことに留意されたい。あるいは、ＵＥは、ページングＤＣＩを受信する前に、ＵＥによってすでに格納されている有効なＭＩＢ情報を使用してもよい。次に、ＵＥは、ＳＩＢ１コンテンツを更新するためにＳＩＢ１を読み取り、他のＳＩＢのためのスケジューリング情報を取得し、その後にＭＩＢ情報を取得してよい。ＵＥがページングＤＣＩにおいてＳＩ変更指示を受信する場合、ＵＥは、ＮＷが更新されたＳＩをブロードキャストすると仮定して、次の修正期間境界において更新されたＳＩを取得してよい。
【００４８】
本実施形態のいくつかの態様では、「ＩＤＬＥ／非アクティブ指示に必要」を表すビットが特定の値（例えば、１）にセットされ、ＩＤＬＥ／非アクティブＵＥに更新されたＳＩＢが必要であることをＵＥに通知する場合、ＩＤＬＥ／非アクティブ状態のＵＥはＳＩ取得手順を実行して、更新されたＳＩＢを取得してよい。
【００４９】
一実施形態では、ＳＩ修正指示に関する情報ビットを削除してよい。ＵＥは「接続指示に必要」および「ＩＤＬＥ／非アクティブ指示に必要」に関する情報ビットをチェックして、次の修正期間境界にＳＩ修正があるかどうかを確認することができるからである。
【００５０】
一実施形態では、ショートメッセージには、接続されたＵＥ、非アクティブＵＥ、およびＩＤＬＥ  ＵＥのそれぞれにＳＩ修正が必要であるかどうかを示すための３つの情報ビット（例えば、「接続指示に必要」、「非アクティブ指示に必要」、および「ＩＤＬＥ指示に必要」であるビット）がある。この実施例を表２に示す。表２のビット１はＳＩ修正ビットである。
【００５１】
【表２】
2021516508.tif 000004
【００５２】
一実施形態では、ＳＩ修正指示に関する情報ビットを削除してよい。ＵＥは「接続指示に必要」および「非アクティブ指示に必要」および「ＩＤＬＥ指示に必要」に関する情報ビットをチェックして、次の修正期間境界にＳＩ修正があるかどうかを確認することができるからである。
【００５３】
一実施形態では、ＮＷは、（固定値を有する）同じＰ−ＲＮＴＩを使用して、接続されたＵＥ、非アクティブＵＥ、およびＩＤＬＥ  ＵＥのためのページングＤＣＩをスクランブルしてよい。
【００５４】
一実施形態では、ＮＷは、異なるＰ−ＲＮＴＩを使用して、接続されたＵＥ、非アクティブＵＥ、およびＩＤＬＥ  ＵＥそれぞれのためのページングＤＣＩをスクランブルしてよい。例えば、Ｐ−ＲＮＴＩの値は、ＲＲＣ状態のために前もって設定されてもよい。したがって、接続されたＵＥは、接続されたＵＥ専用のページングＤＣＩのみを受信し、非アクティブＵＥは、非アクティブＵＥ専用のページングＤＣＩのみを受信し、ＩＤＬＥ  ＵＥは、ＩＤＬＥ  ＵＥ専用のページングＤＣＩのみを受信してよい。異なるＰ−ＲＮＴＩを有するため、本実施形態のいくつかは、接続されたＵＥ、非アクティブＵＥ、および／または非アクティブＵＥのためのＳＩ修正が必要かどうかを示す情報ビットを削除してよい。
【００５５】
一実施形態では、ＮＷは、２つの異なるＲＲＣ状態に対して同じＰ−ＲＮＴＩを使用し、３番目のＲＲＣ状態に対して異なるＲＮＴＩを使用してよい。例えば、ＮＷは、異なるＰ−ＲＮＴＩを使用して、接続されたＵＥおよびＩＤＬＥ／非アクティブＵＥのためのページングＤＣＩをそれぞれスクランブルしてよい。したがって、接続されたＵＥは、接続されたＵＥ専用のページングＤＣＩのみを受信してよい。同様に、ＩＤＬＥ／非アクティブＵＥは、ＩＤＬＥ／非アクティブＵＥ専用のページングＤＣＩのみを受信してよい。異なるＰ−ＲＮＴＩを有するため、本実施形態のいくつかは、接続されたＵＥまたはＩＤＬＥ／非アクティブＵＥのためのＳＩ修正の要件を示す情報ビットを削除してよい。
【００５６】
ケース１−２：本実施形態のいくつかにおいて、ＳＩ修正指示およびＰＷＳ通知指示のためのビットは、統合されてもよい。例えば、統合ビットが「０」である場合、ＵＥはページングメッセージがＳＩ修正をＵＥに通知するためのものであることを知ることができ、逆に、統合ビットが「１」である場合、ＵＥは、ページングメッセージがＰＷＳ情報ブロードキャストをＵＥに通知するためのものであることを知ることができる。ケース１−２の例を以下の表３に示す。表３のビット１はＳＩ修正ビットである。
【００５７】
【表３】
2021516508.tif 000005
【００５８】
ケース１−３：本実施形態のいくつかでは、「ＳＩ修正指示」のための２つの情報ビットを使用して、ページングがＳＩ修正を示すためのものであるかどうか、また、どの種類のＵＥ（例えば、どの状態のＵＥ）がこのＳＩ修正のためのＳＩ取得手順を実行する必要があるかを示してよい。ケース１−３の例を以下の表４に示す。
【００５９】
本実施形態のいくつかの態様において、ＵＥがＰ−ＲＮＴＩによってスクランブルされたＣＲＣを有するＤＣＩを受信した場合、ＵＥは、ショートメッセージインジケータをチェックしてよい。これがショートメッセージを搬送する特殊なＤＣＩであることをショートメッセージインジケータが示す場合、ＵＥは、対応するショートメッセージ内の情報をチェックしてよい。一実施形態では、ショートメッセージは「ＳＩ修正指示」用に２つのビットを含んでよい。「ＳＩ修正指示」を表すビットが「００」である場合、ＵＥは、ページングがＳＩ修正をＵＥに通知するためのものではなく、ＰＷＳブロードキャスト通知のためのものであることを知ることができる。「ＳＩ修正指示」を表すビットが「０１」である場合、ＵＥは、ページングがＳＩ修正をＵＥに通知するためのものであり、更新されたＳＩＢが接続されたＵＥに必要であることを知ることができる。「ＳＩ修正指示」を表すビットが「１０」である場合、ＵＥは、ページングがＳＩ修正をＵＥに通知するためのものであり、更新されたＳＩＢがＩＤＬＥ／非アクティブＵＥに必要であることを知ることができる。「ＳＩ修正指示」を表すビットが「１１」である場合、ＵＥは、ページングがＳＩ修正をＵＥに通知するためのものであり、更新されたＳＩＢが接続されたＵＥとＩＤＬＥ／非アクティブＵＥの両方に必要であることを知ることができる。
【００６０】
【表４】
2021516508.tif 000006
【００６１】
ケース１−４：本実施形態のいくつかの態様では、「ＳＩ修正指示」のための１つの情報ビットは、ページングがＳＩ修正をＵＥに通知するためのものであるかどうかを示してよい。「ＩＤＬＥ／非アクティブ指示に必要」の１つの情報ビットは、ＩＤＬＥ／非アクティブＵＥのみが、このＳＩ修正のためのＳＩ取得手順を実行する必要があるかどうかを示してよい。ケース１−４では、ＩＤＬＥ／非アクティブＵＥにはオンデマンドＳＩＢのみが必要である。このケース１−４の例を以下の表５に示す。表５のビット１はＳＩ修正ビットである。
【００６２】
【表５】
2021516508.tif 000007
【００６３】
ＵＥがＰ−ＲＮＴＩによってスクランブルされたＣＲＣを有するＤＣＩを受信した場合、ＵＥはショートメッセージインジケータをチェックしてよい。これがショートメッセージを搬送する特殊なＤＣＩであることをショートメッセージインジケータが示す場合、ＵＥは、対応するショートメッセージ内の情報をチェックしてよい。この実施形態では、ショートメッセージが「ＳＩ修正指示」のための１ビットおよび「ＩＤＬＥ／非アクティブ指示」のための１ビットを含んでよい。「ＳＩ修正指示」を表すビットがセットされていない場合（例えば、０）、ＵＥはページングがＳＩ修正をＵＥに通知するためのものではないことを知ることができる。「ＳＩ修正指示」を表すビットがセットされている場合（例えば、１）、ＵＥはページングがＳＩ修正をＵＥに通知するためのものであることを知ることができる。次いで、ＵＥは、「ＩＤＬＥ／非アクティブ指示のために必要」の情報ビットをさらにチェックしてよい。「ＩＤＬＥ／非アクティブ指示のために必要」がセットされていない場合（例えば、０）、接続されたＵＥとＩＤＬＥ／非アクティブＵＥの両方が、ＳＩ取得手順を実行し、更新されたＳＩＢを取得してよい。「ＩＤＬＥ／非アクティブ指示のために必要」がセットされている場合（例えば、１）、ＩＤＬＥ／非アクティブＵＥのみが、ＳＩ取得手順を実行し、更新されたＳＩＢを取得してよい。
【００６４】
ケース１−５：本実施形態のいくつかの態様では、ＳＩ修正指示およびＰＷＳ通知指示のためのビットを統合してよい。例えば、統合ビットが「０」である場合、ＵＥは、ページングがＳＩ修正をＵＥに通知するためのものであることを知ることができる。逆に、統合ビットが「１」である場合、ＵＥは、ページングがＰＷＳ情報ブロードキャストをＵＥに通知するためのものであることを知ることができる。ケース１−５の例を以下の表６に示す。
【００６５】
【表６】
2021516508.tif 000008
【００６６】
一実施形態では、１つ以上の情報ビットを使用して、次の修正期間境界でどのＳＩＢまたはＳＩメッセージを変更できるかを示してよい。例えば、いくつかの実施形態では、４つの情報ビットを使用し、（ＳＩメッセージ＃１からＳＩメッセージ＃４までの）どのＳＩメッセージが次の修正期間境界で変更できるかを示してよい。
【００６７】
本実施形態のいくつかは、ＢＷＰ設定を考慮して、効率的なＳＩ修正および取得手順を使用してもよい。接続されたＵＥのために設定された現在のアクティブＢＷＰの異なる可能な位置を示すために、３つの異なるシナリオを以下に示す。ＵＥが関連するセルの品質を測定するために、ＮＷはセル定義同期信号ブロック（ＳＳＢ：Synchronization Signal Block）を設定してよいことに留意されたい。セル定義ＳＳＢは、ＭＩＢを含むＳＳＢであってもよい。ＵＥは、設定された測定ギャップを使用し、セル定義ＳＳＢを測定してよい。これは、ＵＥがセル定義ＳＳＢを測定するときに、設定された測定ギャップの期間中にＵＥが必要なＳＩＢまたはＳＩメッセージを読み取ってよいことを意味し得る。
【００６８】
シナリオ１：接続されたＵＥ用に設定されている現在のアクティブＢＷＰは、初期アクティブＢＷＰ、または物理ブロードキャストチャネル（ＰＢＣＨ）でブロードキャストされるＭＩＢを含むＳＳＢを有するＢＷＰ、またはＰＢＣＨでブロードキャストされるＭＩＢを含むＳＳＢと同じである。このようなシナリオにおいて、本実施形態のいくつかにおいて、ＵＥは、Ｐ−ＲＮＴＩによってスクランブルされたＣＲＣを有するＤＣＩをＵＥが受信したときに、ショートメッセージインジケータをチェックしてよい。これがショートメッセージを搬送する特殊なＤＣＩであることをショートメッセージインジケータが示す場合、ＵＥは（例えば、上記ケース１−１、１−２、１−３、１−４、および１−５で説明したショートメッセージ内の情報に基づいて）現在のアクティブＢＷＰでＳＩ取得手順を実行すべきかどうかを決定してよい。
【００６９】
シナリオ２：接続されたＵＥ用に設定されている現在のアクティブＢＷＰは、初期アクティブＢＷＰと重複するＢＷＰ、またはＰＢＣＨでブロードキャストされるＭＩＢを含むＳＳＢを有するＢＷＰと重複するＢＷＰ、またはＰＢＣＨでブロードキャストされるＭＩＢを含むＳＳＢと重複するＢＷＰである。図２は、現在のアクティブＢＷＰ  ２０１が、ＰＢＣＨでブロードキャストされるＭＩＢを含むＳＳＢ  ２０２と重複することを示す例示的なスペクトル２００を示す。このようなシナリオにおいて、本実施形態のいくつかにおいて、ＵＥは、Ｐ−ＲＮＴＩによってスクランブルされたＣＲＣを有するＤＣＩをＵＥが受信したときに、ショートメッセージインジケータをチェックしてよい。これがショートメッセージを搬送する特殊なＤＣＩであることをショートメッセージインジケータが示す場合、ＵＥは（現在のアクティブＢＷＰ  ２０１と重複する）ＳＳＢ  ２０２に含まれるＭＩＢを読み取ることによって、（例えば、上記ケース１−１、１−２、１−３、１−４、および１−５で説明したショートメッセージ内の情報に基づいて）現在のアクティブＢＷＰでＳＩ取得手順を実行すべきかどうかを決定し、次いで、それに応じてＳＩＢ１および他のＳＩＢを受信してよい。
【００７０】
シナリオ３：接続されたＵＥ用に設定されている現在のアクティブＢＷＰは、初期アクティブＢＷＰと重複しないＢＷＰ、またはＰＢＣＨでブロードキャストされるＭＩＢを含むＳＳＢを有するＢＷＰと重複しないＢＷＰ、またはＰＢＣＨでブロードキャストされるＭＩＢを含むＳＳＢと重複しないＢＷＰである。図３は、現在のアクティブＢＷＰ３０１が、ＰＢＣＨでブロードキャストされるＭＩＢを含むＳＳＢ３０２と重複しないことを示す例示的なスペクトル３００を示す。このようなシナリオでは、本実施形態のうちのいくつかでは、ＮＷは、ＵＥのアクティブＢＷＰでＳＩ（ＭＩＢ、ＳＩＢ１、またはＯＳＩを含む）が以前にブロードキャストされていない場合、それらを一時的にブロードキャストしてよい。なお、ＮＷは、次のＳＩ修正期間（または所定の時間）の終了前に少なくとも１回ＳＩＢをブロードキャストすることを保証してよい。本実施形態のいくつかの態様では、ＵＥは、次のＳＩ修正期間中に（または所定の時間後に）指示を受信した後に、ブロードキャストされるＳＩＢを受信することができると仮定してよい。ＮＷが一時的にブロードキャストされるＳＩのブロードキャストを停止するタイミングは、ＮＷの実施形態次第でよい。例えば、ＮＷは、一時的にブロードキャストされるＳＩのブロードキャストを、次のＸ個の修正期間後に停止してよく、ここで、Ｘは、ＮＷ自体によって決定されてよい。あるいは、ＮＷは、初期アクティブＢＷＰ上のＭＩＢ、ＳＩＢ１、または他のＳＩ、あるいはＰＢＣＨでブロードキャストされるＭＩＢを含むＳＳＢを有するＢＷＰ、あるいはＰＢＣＨでブロードキャストされるＭＩＢを含むＳＳＢを受信するようにＵＥに要求してよい。例えば、ＮＷは、初期アクティブＢＷＰ上のＭＩＢ、ＳＩＢ１、または他のＳＩ、あるいはＰＢＣＨでブロードキャストされるＭＩＢを含むＳＳＢを有するＢＷＰ、あるいは設定された測定ギャップ中にＰＢＣＨでブロードキャストされるＭＩＢを含むＳＳＢを読み取るようにＵＥに要求してよい。ＮＷがＵＥのアクティブＢＷＰでＳＩ（ＭＩＢ、ＳＩＢ１、またはＯＳＩを含む）を一時的にブロードキャストできるかどうかは、ＵＥの現在のアクティブＢＷＰで使用されるニューメロロジーと、ＰＢＣＨで使用されるニューメロロジーとに依存してよく、当該ニューメロロジーはキャリアごとに定義してよい。ＥＴＷＳまたはＣＭＡＳなど、いくつかの緊急ＳＩ修正の場合、ＵＥの現在のアクティブＢＷＰでＳＩＢを一時的にブロードキャストするほうがより高速になる場合がある。ＵＥが測定ギャップを待つ必要がないためである。したがって、ＵＥのアクティブＢＷＰでＳＩＢを一時的にブロードキャストするか、またはＵＥに初期アクティブＢＷＰでＳＩＢを受信させるか、またはＰＢＣＨでブロードキャストされるＭＩＢを含むＳＳＢを有するＢＷＰを受信させるか、または設定された測定ギャップ中にＰＢＣＨでブロードキャストされるＭＩＢを含むＳＳＢを受信させるかは、ＮＷの決定次第であってよい。なお、ＮＷは、セル定義ＳＳＢを設定して、ＵＥが関連するセルの品質を測定できるようにしてよい。セル定義ＳＳＢは、ＭＩＢを含むＳＳＢであってもよい。
【００７１】
したがって、ＳＩ取得手順をどのように実行するかをＵＥに通知するために、ショートメッセージでもＢＷＰ関連情報を提供することが有益であり得る。以下の異なる実施形態では、ショートメッセージは、ＵＥがＭＩＢをどのＢＷＰで読み取るかを示すフィールド（フィールド内のビット数は実施形態によって異なってよい）を含んでよい。
【００７２】
ケース２−１：本実施形態のいくつかの態様では、ショートメッセージは、ＳＩＢがＢＷＰで一時的にブロードキャストされるか、またはＵＥがセル定義ＳＳＢでＭＩＢを受信する必要があるかを示す情報ビットを含んでよい。本実施形態のいくつかでは、ショートメッセージ内の情報ビットは２つの情報ビットを含んでよく、一方はＳＩＢが「一時的にブロードキャストされる」ことを示すためのものであり、他方は、ＳＩＢが「セル定義ＳＳＢでブロードキャストされる」ことを示すためのものである。
【００７３】
ケース２−１の例を以下の表７に示す。表７のビット１はＳＩ修正ビットである。ＵＥがＰ−ＲＮＴＩによってスクランブルされたＣＲＣを有するＤＣＩを受信した場合、ＵＥはショートメッセージインジケータをチェックしてよい。これがショートメッセージを搬送する特殊なＤＣＩであることをショートメッセージインジケータが示す場合、ＵＥは、対応するショートメッセージ内の情報をチェックしてよい。ＳＩＢがこのＢＷＰで一時的にブロードキャストされ得ることをＵＥに通知するために、「一時的にブロードキャストされる」ことを表すビットが特定の値（例えば、１）にセットされる場合、ＵＥはＳＩ取得手順を実行して、現在のアクティブＢＷＰで更新されたＳＩＢを取得してもよい。セル定義ＳＳＢでＭＩＢを受信する必要があることをＵＥに通知するために、「セル定義ＳＳＢでブロードキャストされる」ことを表すビットが値（例えば、１）にセットされる場合、ＵＥはＳＩ取得手順を実行して、セル定義ＳＳＢのＭＩＢを読み取ることによって、更新されたＳＩＢを取得してよい。ＭＩＢの内容に基づいて、ＵＥはＳＩＢ１を読み出し、次に、それに従ってＯＳＩを読み取ってよい。ＵＥはＳＩ取得手順を実行して、設定された測定ギャップ中にセル定義ＳＳＢのＭＩＢを読み取ることによって、更新されたＳＩＢを取得してよい。
【００７４】
【表７】
2021516508.tif 000009
【００７５】
ケース２−２：本実施形態のいくつかの態様では、「一時的にブロードキャストされる」および「セル定義ＳＳＢでブロードキャストされる」ためのビットが統合されてもよい。例えば、統合ビットが「０」である場合、ＵＥはＳＩＢがこのＢＷＰで一時的にブロードキャストされ得ることを知る。逆に、統合ビットが「１」である場合、ＵＥは、ＳＩ取得手順を実行して、セル定義ＳＳＢのＭＩＢを読み取ることによって、更新されたＳＩＢを取得し得ることを知る。ケース２−２の例を以下の表８に示す。表８のビット１はＳＩ修正ビットである。
【００７６】
【表８】
2021516508.tif 000010
【００７７】
ケース２−３：本実施形態のいくつかの態様では、ショートメッセージは、ＳＩＢがこのＢＷＰで一時的にブロードキャストされるか、またはＵＥが示されたＳＳＢでＭＩＢを受信する必要があるかを示す情報ビットを含んでよい。ケース２−３では、２つの情報ビットがあり、一方は「一時的にブロードキャストされる」ことを示し、他方は「指示されたＳＳＢでブロードキャストされる」ことを示す。
【００７８】
指示されたＳＳＢでＭＩＢを受信する必要があることをＵＥに通知するために、「指示されたＳＳＢでブロードキャストされる」ことを表すビットがセットされる（例えば、ビットの値が１にセットされる）場合、ＵＥはＳＩ取得手順を実行して、指示されたＳＳＢでＭＩＢを読み取ることによって、更新されたＳＩＢを取得してよい。示されたＳＳＢは初期アクティブＢＷＰ内のＳＳＢであってもよいし、ＮＷによって事前に設定されているＳＳＢであってもよいし、ショートメッセージで示されていてもよい（例えば、一実施形態では、以前にＲＲＣシグナリングによってＢＷＰ  ＩＤが設定されている更新されたＳＩＢをＵＥが受信するためのＢＷＰのＩＤを示す追加情報ビットが、ショートメッセージ内に存在してもよい）。ケース２−３の例を以下の表９に示す。表９のビット１はＳＩ修正ビットである。
【００７９】
【表９】
2021516508.tif 000011
【００８０】
ケース２−４：本実施形態のいくつかの態様では、「一時的にブロードキャストされる」および「示されたＳＳＢでブロードキャストされる」ためのビットが統合されてもよい。例えば、統合ビットが「０」である場合、ＵＥはＳＩＢがこのＢＷＰで一時的にブロードキャストされ得ることを知る。逆に、統合ビットが「１」である場合、ＵＥは、ＳＩ取得手順を実行して、示されたＳＳＢのＭＩＢを読み取ることによって、更新されたＳＩＢを取得できることを知る。ケース２−４の例を以下の表１０に示す。表１０のビット１はＳＩ修正ビットである。
【００８１】
【表１０】
2021516508.tif 000012
【００８２】
ケース３：本実施形態のいくつかの他の態様は、以下で説明するように、ＢＷＰ非アクティビティタイマの終了を考慮してよい。
【００８３】
ＢＷＰスイッチ動作では、ＵＥ用に設定されたＢＷＰ非アクティビティタイマが存在してよい。ＢＷＰ非アクティビティタイマは、ＵＥがデフォルトＢＷＰ（ＮＷによって設定されている場合）ではないＢＭＰまたは初期ＤＬ  ＢＷＰ（デフォルトＢＷＰがＮＷによって設定されていない場合）ではないＢＷＰに切り替えられたときに開始されてよい。ＢＷＰ非アクティビティタイマは、ＵＥがダウンリンク割当てまたはアップリンク割当てを受信するたびに再開してよい。ＵＥのＢＷＰ非アクティビティタイマが終了した場合、ＵＥは、省電力のために、現在のＢＷＰからデフォルトＢＷＰ（設定されている場合）または初期ＤＬ  ＢＷＰ（デフォルトＢＷＰが設定されていない場合）に自律的に切り替えてよい。
【００８４】
ＵＥが現在アクティブＢＷＰのページングサーチスペースでＤＣＩを受信したときに、ＢＷＰ非アクティビティタイマが終了する可能性があり（例えば、ＮＷはＳＩ修正期間より短い不適切な非アクティビティタイマを設定する場合がある）、したがって、ＵＥはデフォルトＢＷＰまたは初期ＤＬ  ＢＷＰに切り替えてよい。
【００８５】
シナリオ１：現在のＢＷＰは、更新されたＳＩＢを一時的にブロードキャストするか、またはＳＩＢを定期的にブロードキャストする。デフォルトＢＷＰは、更新されたＳＩＢを一時的にブロードキャストしなくてもよく、またはＳＩＢを定期的にブロードキャストしなくてもよい。一実施形態では、ＵＥは、ＳＩ取得手順を実行する際にＢＷＰ非アクティビティタイマを停止し、その結果、ＵＥが現在のアクティブＢＷＰ上のＰ−ＲＮＴＩによってスクランブルされたＣＲＣを有するＤＣＩを受信したときに、ＳＩ取得手順がＢＷＰスイッチによって中断されないようにすることができる。例えば、ＵＥは、ショートメッセージ内においてＳＩ修正ビットがセットされている場合、ＢＷＰ非アクティビティタイマを停止してよい。ＵＥは、次の修正期間の終わりにＢＷＰ非アクティビティタイマを開始または再開してよい。ＮＷはＳＩ修正通知のためのページングを知っているため、ＮＷはＵＥの動作を認識している。
【００８６】
シナリオ２：現在のアクティブＢＷＰは、更新されたＳＩＢを一時的にブロードキャストするか、またはＳＩＢを定期的にブロードキャストする。現在のアクティブＢＷＰ上のブロードキャストされるＭＩＢおよび／またはＳＩＢ１コンテンツ（例えば、ＳＩＢ１および／またはＯＳＩの制御リソースセット）は、デフォルトＢＷＰまたは初期ＤＬ  ＢＷＰ上のブロードキャストされるＭＩＢおよび／またはＳＩＢ１コンテンツと同じである。ＳＩ修正期間がセルごとに設定される場合、ＵＥは、ＢＷＰ非アクティビティタイマを停止する必要がないことがある。ＵＥは、ＢＷＰ非アクティブタイマが終了になったとき、更新されたＳＩＢをデフォルトＢＷＰまたは初期ＤＬ  ＢＷＰで受信するために、アクティブＢＷＰ上のブロードキャストされるＭＩＢおよび／またはＳＩＢ１のコンテンツを参照してもよい。
【００８７】
シナリオ３：ブロードキャストされるＭＩＢおよび／またはＳＩＢ１コンテンツ（例えば、ＳＩＢ１および／またはＯＳＩの制御リソースセット）は、デフォルトＢＷＰまたは初期ＤＬ  ＢＷＰ上のブロードキャストされるＭＩＢおよび／またはＳＩＢ１コンテンツと同じではなく、またはＳＩ修正期間はＢＷＰごとに設定される。ＢＷＰ非アクティブタイマが終了になり、ＵＥがデフォルトＢＷＰまたは初期ＤＬ  ＢＷＰに切り替わった場合、ＵＥはＭＩＢを受信するか、保存されている有効なＭＩＢ情報と、デフォルトＢＷＰまたは初期ＤＬ  ＢＷＰでブロードキャストされるＳＩＢ１  を再び適用してよい。次いで、ＵＥはデフォルト／初期ＤＬ  ＢＷＰから、ＭＩＢおよびＳＩＢ１に基づいて、必要なＳＩを取得してよい。
【００８８】
一実施形態では、ショートメッセージがＤＣＩ内に存在する（ショートメッセージのみが存在する、またはショートメッセージとページングのためのスケジューリング情報との両方が存在する）ことをショートメッセージインジケータが示す場合、ＵＥはＤＣＩ内のショートメッセージ（ＳＩ修正ビットを含む）をチェックしてよい。例えば、ＤＣＩ内にショートメッセージは存在するが、ページングのためのスケジューリング情報は存在しないことをショートメッセージインジケータが示す場合、ＵＥはＤＣＩ内のショートメッセージ内のＳＩ修正ビットをチェックしてよい。
【００８９】
ページングメッセージに関するいくつかの実施形態を以下に説明する。一実施形態では、ＳＩ変更指示がページングメッセージに含まれてもよい。ＮＷが何らかの理由でシステム情報をブロードキャストしない場合、またはＮＷが（例えば、迅速な更新のために）他のアプローチを使用してシステム情報を送信することが有益であると判定した場合、ＳＩ送信のためのユニキャスト方法を考慮してよい。一方、セル内の接続されたＵＥの数と、専用シグナリングを介して更新されたＳＩＢを各接続されたＵＥに配信するためのリソースの浪費を考慮すると、ページングメッセージを使用して必要な情報を伝送することは、ＮＷの観点から有用であるかもしれない。
【００９０】
図４Ａは、本出願の例示的な実施形態に係る、ページングメッセージの１つのフォーマットを示す。抽象構文記法１（ＡＳＮ．１：Abstract Syntax Notation One）は、ページングメッセージの様々な実施形態のデータ構造を記述するために使用される。図４Ａに示すように、データ構造４００Ａは、ページングレコードリストを含んでよい。ページングレコードリストは、ページングレコードのリストであってよい。ページングレコードは、少なくともＵＥ  ＩＤを含んでよい。図４Ｂは、本出願の例示的な実施形態に係る、ページングメッセージの別のフォーマットを示す。図４Ｂに示すように、データ構造４００Ｂは、システム修正指示、ＥＴＷＳ指示、およびＣＭＡＳ指示のうちの少なくとも１つをさらに含んでよい。
【００９１】
以下の実施形態におけるページングメッセージのデータ構造は、図４Ａに示すデータ構造４００Ａから拡張してよい。一実施形態では、ページングメッセージは、システム修正指示、ＥＴＷＳ指示、およびＣＭＡＳ指示のいずれも含まなくてよい。例えば、ＵＥがＰ−ＲＮＴＩによってスクランブルされたＣＲＣとともに送信されたＤＣＩを受信したとき、ＵＥは、ショートメッセージインジケータをチェックしてよい。ページングのためのスケジューリング情報がＤＣＩに存在することをショートメッセージインジケータが示す場合（ページングのためのスケジューリング情報のみが存在するか、またはショートメッセージとページングのためのスケジューリング情報との両方が存在する場合）、ＵＥは基地局からページングメッセージを受信してもよい。ページングメッセージは、ＳＩ修正に関する指示情報を含まなくてもよい。ＵＥは、ショートメッセージがＤＣＩ内に存在する場合、ショートメッセージ内のＳＩ修正ビットをチェックしてよい。
【００９２】
一実施形態では、ページングメッセージは、更新されたシステム情報を含んでもよい。したがって、ＵＥがショートメッセージから、ＳＩ修正があると判断した場合、ＵＥはページングメッセージから更新されたシステム情報を読み取ることができ、これにより、ＳＩ更新手順がより高速になる。
【００９３】
図５は、本出願の例示的な実施形態に係る、ページングメッセージの別のフォーマットを示す。データ構造５００は、ＭＩＢまたはＭＩＢ関連コンテンツ（ＳＩＢ１を読み取るために使用されてもよい）を含んでもよい。
【００９４】
図６は、本出願の例示的な実施形態に係る、ページングメッセージの別のフォーマットを示す。データ構造６００は、ＳＩＢ１またはＳＩＢ１関連コンテンツ（１つ以上の他のＳＩＢを受信するために使用されてもよい）を含んでもよい。
【００９５】
図７は、本出願の例示的な実施形態に係る、ページングメッセージの別のフォーマットを示す。データ構造７００は、更新されたＳＩＢを含んでよい。いくつかの実施形態では、更新されたＳＩＢは、ＭＩＢもＳＩＢ１も含まなくてもよい。このフォーマットでは、記憶されたＳＩＢの有効性をＵＥがチェックするために、更新されたＳＩＢの値タグも含まれてよい。
【００９６】
一実施形態では、ＵＥ  ＩＤは、特定のＵＥページングのためのページングメッセージに含まれてもよい。
【００９７】
図８は、本出願の例示的な実施形態に係る、ページングメッセージの別のフォーマットを示す。この実施形態では、ページングメッセージのデータ構造８００は、ページングメッセージがＭＩＢ、ＳＩＢ１、および更新されたＳＩＢのうちの少なくとも１つを含むことができるような選択構造を含んでよい。いくつかの実施形態では、更新されたＳＩＢはＭＩＢもＳＩＢ１も含まなくてもよい。ＮＷは、ＭＩＢ／ＭＩＢ関連のコンテンツ、ＳＩＢ１／ＳＩＢ１関連コンテンツ、または更新されたＳＩＢがページングメッセージで搬送されるかどうかを示してよい。
【００９８】
ＭＩＢ／ＭＩＢ関連コンテンツのサイズまたはＳＩＢ１／ＳＩＢ１関連コンテンツのサイズが許容できる場合、または更新されたＳＩＢが緊急でない場合、ＮＷは関連するページングメッセージフォーマット、例えば、図５に示されるフォーマットまたは図６に示されるフォーマットを使用してよい。反対に、更新されたＳＩＢの合計サイズが許容できる場合、または更新されたＳＩＢが緊急である場合、ＮＷは関連するページングメッセージフォーマット、例えば、図７に示されるフォーマットを使用してよい。
【００９９】
他のいくつかの実施形態では、次のような他の情報もページングメッセージで搬送されてよい。
【０１００】
１．    ・接続されたＵＥに必要なフィールド：接続されたＵＥにＳＩ修正が必要かどうかを示す。
【０１０１】
２．    ・ＩＤＬＥ／接続されたＵＥに必要なフィールド：ＩＤＬＥ／非アクティブＵＥにＳＩ修正が必要かどうかを示す。
【０１０２】
３．    ＰＷＳ通知指示フィールド：ＰＷＳ情報がブロードキャストされることを示す。あるいは、ＥＴＷＳ通知の１つの指示と、ＣＭＡＳ通知のための１つの指示とがあってもよい。
【０１０３】
４．    一時的にブロードキャストされるフィールド：ＳＩＢがＵＥの現在のアクティブＢＷＰで一時的にブロードキャストされ得ることを示す。
【０１０４】
５．    セル定義ＳＳＢでブロードキャストされるフィールド、または、指示されたＳＳＢでブロードキャストされるフィールド：ＵＥがセル定義ＳＳＢまたは指示されたＳＳＢでＭＩＢを受信する必要があることを示す。
【０１０５】
一実施形態では、ＮＷがＲＡＮベースのページングメカニズム（非アクティブＵＥのページングに使用される）またはＣＮベースのページングメカニズム（ＩＤＬＥと非アクティブＵＥの両方のページングに使用される）を使用して、更新されたＳＩＢを特定の非アクティブＵＥまたはＩＤＬＥ  ＵＥにユニキャストしてよい。具体的には、ＮＷがページングメッセージを使用して、ＳＩ更新に必要な情報を搬送してよい。ページングメッセージにはいくつかの実施形態／フォーマットがあってよい。例えば、１つのフォーマットでは、ページングメッセージはＳＩ修正指示を含んでよい。別のフォーマットでは、ページングメッセージはＭＩＢまたはＭＩＢ関連コンテンツ（ＳＩＢ１を読むために使用されてよい）を含んでよい。別のフォーマットでは、ページングメッセージはＳＩＢ１またはＳＩＢ１関連コンテンツ（１つ以上の他のＳＩＢを受信するために使用されてよい）を含んでよい。別のフォーマットでは、ページングメッセージは更新されたＳＩＢを含んでもよい。
【０１０６】
例えば、同じページングメッセージ内の異なる非アクティブＵＥに必要なＳＩＢが異なる場合、ＵＥ  ＃１用の更新されたＳＩＢはＵＥ  ＃１のＵＥ  ＩＤに関連付けられていてもよく、ＵＥ  ＃２用の更新されたＳＩＢはＵＥ  ＃２のＵＥ  ＩＤに関連付けられていてもよい。同じページングメッセージ内で異なるＵＥまたはＵＥグループ用の異なるフォーマットが許可されてもよい。
【０１０７】
図９は、本出願の例示的な実施形態に係る、ページングメッセージの別のフォーマットを示す。この実施形態では、ページングメッセージのデータ構造９００は、次の修正期間境界でどのＳＩＢまたはＳＩメッセージが変更できるかを示す情報を含んでよい。例えば、図５を参照して説明したフォーマットを採用する場合、更新されたＳＩメッセージ（UpdatedSIMessage）は、どのＳＩメッセージを更新するかを示すリストであってもよい。ＳＩ−ＭｅｓｓａｇｅＩＤは各ＳＩメッセージのＩＤであり、ｍａｘＳＩ−Ｍｅｓｓａｇｅは、ＮＷのために設定され得るＳＩメッセージの最大数である。別の実施形態では、更新されたＳＩＢ（UpdatedSIB）があってよい。これはどのＳＩＢが更新できるかを示すリストである。
【０１０８】
一実施形態では、「ＳＩ修正指示」を表す情報ビットはショートメッセージでのみ搬送され、「ＳＩ修正指示」を表す情報ビットはページングメッセージでは搬送されない。すなわち、ページングメッセージは、（ＵＥ  ＩＤを含むことによって）特定のユーザページングのためにのみ使用されてよい。更新されたＳＩＢについて、ＮＷは、専用シグナリングを使用して、更新されたＳＩＢを接続されたＵＥに配信してよい。
【０１０９】
ＳＩ修正のための専用シグナリングには、いくつかの実施形態／フォーマットがあってよい。例えば、一実施形態（第１のフォーマットとも呼ばれる）では、専用シグナリングは、ＭＩＢまたはＭＩＢ関連コンテンツ（ＳＩＢ１を読み取るために使用されてよい）を含んでよい。別の実施形態（第２のフォーマットとも呼ばれる）では、専用シグナリングは、ＳＩＢ１またはＳＩＢ１関連コンテンツ（他のＳＩＢを受信するために使用されてよい）を含んでよい。別の実施形態（第３のフォーマットとも呼ばれる）では、専用シグナリングは更新されたＳＩＢを含んでよい。
【０１１０】
ＭＩＢ／ＭＩＢ関連コンテンツ、ＳＩＢ１／ＳＩＢ１関連コンテンツ、または更新されたＳＩＢがＳＩ修正のための専用シグナリングで搬送されるかどうかを決定する選択構造が存在してよい。ＮＷは、更新されたＳＩＢのサイズに基づいて決定を行ってよい。更新されたＳＩＢの合計サイズが大きい場合、または接続されたＵＥの数が大きい場合、ＮＷは、第１のフォーマットまたは第２のフォーマットを用いてＳＩ修正のための専用シグナリングを送信してよい。そうでない場合、ＮＷは、第３のフォーマットを用いてＳＩ修正のための専用シグナリングを送信してよい。
【０１１１】
一実施形態では、（接続されたＵＥおよびＩＤＬＥ／非アクティブＵＥの両方の）初期アクティブＢＷＰで受信されるショートメッセージフォーマットと、（接続されたＵＥの）設定されたＢＷＰで受信されるショートメッセージフォーマットとは異なってよい。例えば、初期アクティブＢＷＰで受信されたショートメッセージフォーマットの場合、接続されたＵＥおよびＩＤＬＥ／接続されたＵＥの両方が初期アクティブＢＷＰでブロードキャストされるＭＩＢを読み取ることができるため、「一時的にブロードキャストされる」および「セル定義ＳＳＢでブロードキャストされる」ための情報ビットは必要でなくてよい。一方、他の設定されたＢＷＰで受信されたショートメッセージフォーマットの場合、設定されたＢＷＰが接続されたＵＥにのみ適用されるため、「接続されたＵＥに必要」および「ＩＤＬＥ／接続されたＵＥに必要」のための情報ビットは必要でなくてもよい。このような実施形態では、ショートメッセージのサイズは同じであるが、ショートメッセージで搬送される情報ビットは異なってよい。例えば、ショートメッセージのサイズが４ビットに固定されている場合、初期アクティブＢＷＰで受信されたショートメッセージフォーマットでは、「ＳＩ修正指示」、「接続されたＵＥに必要」、「ＩＤＬＥ／接続されたＵＥに必要」、および「ＰＷＳ通知指示」の４つの情報ビットが存在してよい。設定されたＢＷＰで受信されたショートメッセージフォーマットでは、「ＳＩ修正指示」、「ＰＷＳ通知指示」、「一時的にブロードキャストされる」、および「セル定義ＳＳＢでブロードキャストされる」の４つの情報ビットが存在してよい。
【０１１２】
図１０は、本出願の例示的な実施形態に係る、ＵＥによって実行される無線通信の方法のフローチャートを示す。方法１０００は、アクション１００２、１００４、および１００６を含む。
【０１１３】
アクション１００２では、ＵＥは、基地局からＰ−ＲＮＴＩによってスクランブルされたＣＲＣを有するＤＣＩを受信することができる。例えば、ＵＥは、ページングサーチスペースでＤＣＩを受信することができる。
【０１１４】
アクション１００４において、ＤＣＩ内のショートメッセージインジケータが、ページングのためのスケジューリング情報とショートメッセージとの両方がＤＣＩ内に存在することを示すとき、ＵＥは、ＤＣＩ内のショートメッセージ内のＳＩ修正ビットをチェックすることができる。ショートメッセージインジケータは、ページングのためのスケジューリング情報がＤＣＩに存在するかどうか、およびショートメッセージがＤＣＩに存在するかどうかを示すことができる。
【０１１５】
アクション１００６において、ショートメッセージ内においてＳＩ修正ビットがセットされているときに、ＵＥは、ＳＩ取得手順を実行することができる。
【０１１６】
図１１は、本出願の様々な態様に係る、無線通信のためのノードを示すブロック図である。図１１に示すように、ノード１１００は、トランシーバ１１２０、プロセッサ１１２６、メモリ１１２８、１つ以上のプレゼンテーション部品１１３４、および少なくとも一つのアンテナ１１３６を備えてよい。ノード１１００はまた、無線周波数（ＲＦ）スペクトル帯域モジュール、基地局通信モジュール、ネットワーク通信モジュール、およびシステム通信管理モジュール、入力／出力（Ｉ／Ｏ）ポート、Ｉ／Ｏ部品、および電源（図１１には明示的に示されていない）を備えてよい。これらの構成要素のそれぞれは、１つ以上のバス１１４０を介して、直接または間接的に、互いに通信してもよい。
【０１１７】
送信機１１２２および受信機１１２４を備えるトランシーバ１１２０は、時間および／または周波数リソース分割情報を送信および／または受信するように構成してよい。いくつかの実施形態では、トランシーバ１１２０は、様々なタイプのサブフレームおよびスロットで送信するように構成してよい。当該サブフレームおよびスロットとしては、使用可能、使用不可能、および柔軟に使用可能なサブフレームおよびスロットフォーマットが挙げられるが、これらに限定されない。トランシーバ１１２０は、データおよび制御チャネルを受信するように構成してよい。
【０１１８】
ノード１１００は、様々なコンピュータ可読媒体を備えてよい。コンピュータ可読媒体は、ノード１１００によってアクセスされ得る任意の利用可能な媒体であって、揮発性媒体および不揮発性媒体の両方を含んでいてもよいし、取り外し可能な媒体および取り外し不可能な媒体の両方を含んでいてもよい。例えば、コンピュータ可読媒体は、コンピュータ記憶媒体、および、通信媒体を含んでいてもよいが、これには限定されない。コンピュータ記憶媒体は、コンピュータが読み取り可能な命令、データ構造、プログラムモジュールまたは他のデータなどの情報を記憶するための任意の方法または技術において導入されている媒体である、揮発性媒体および不揮発性媒体の両方を含んでいてもよいし、取り外し可能な媒体および取り外し不可能な媒体の両方を含んでいてもよい。
【０１１９】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポートメカニズムなどの変調データ信号で具現化したものであり、任意の情報配信媒体を含む。「変調データ信号」という用語は、信号内の情報を符号化するように設定または変更された１以上の特性を有する信号を意味する。例えば、通信媒体は、有線ネットワーク、直接有線接続のような有線媒体、ならびに、音響、ＲＦ、赤外線およびその他の無線媒体などの無線媒体を含んでもよいが、これらに限定されるものではない。上記のいずれの組合せもコンピュータ可読媒体の範囲内に含められるべきである。
【０１２０】
メモリ１１２８は、揮発性および／または不揮発性メモリの形態のコンピュータ記憶媒体を含み得る。メモリ１１２８は、取り外し可能、取り外し不能、またはそれらの組み合わせであってもよい。例示的なメモリは、ソリッドステートメモリ、ハードドライブ、光ディスクドライブなどを含む。図１１に示すように、メモリ１１２８は、コンピュータ可読コンピュータ実行可能命令１１３２（例えば、ソフトウェアコード）を格納してもよい。命令１１３２は、実行されると、プロセッサ１１２６に、例えば図１〜１０を参照して本明細書で説明された様々な機能を実行させるように構成されている。あるいは、命令１１３２は、プロセッサ１１２６によって直接実行可能ではなく、ノード１１００に（例えば、コンパイルされ実行されるときに）本明細書で説明された様々な機能を実行させるように構成されてもよい。
【０１２１】
プロセッサ１１２６は、インテリジェントハードウェアデバイス、例えば、中央処理装置（ＣＰＵ）、マイクロコントローラ、ＡＳＩＣなどを含み得る。プロセッサ１１２６は、メモリを含み得る。プロセッサ１１２６は、メモリ１１２８から受信したデータ１１３０および命令１１３２、ならびにトランシーバ１１２０、ベースバンド通信モジュール、および／またはネットワーク通信モジュールを介した情報を処理してもよい。プロセッサ１１２６は、トランシーバ１１２０に送信され、アンテナ１１３６を介してネットワーク通信モジュールに送信され、コアネットワークに向けての送信のためにに送信されるべき情報を処理してもよい。
【０１２２】
１つ以上のプレゼンテーション部品１１３４は、個人または他のデバイスにデータ指標を提示する。例示的な１つ以上のプレゼンテーション部品１１３４は、表示デバイス、スピーカー、印刷部品、振動部品などを含む。
【０１２３】
上記の説明から、様々な技術を用いて、本出願で説明される概念を、当該概念の範囲から逸脱することなく実行し得ることが明らかである。さらに、概念は、特定の実施形態を特に参照して説明されてきたが、当業者ならば、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図１】
2021516508.tif 000013
【図２】
2021516508.tif 000014
【図３】
2021516508.tif 000015
【図４Ａ】
2021516508.tif 000016
【図４Ｂ】
2021516508.tif 000017
【図５】
2021516508.tif 000018
【図６】
2021516508.tif 000019
【図７】
2021516508.tif 000020
【図８】
2021516508.tif 000021
【図９】
2021516508.tif 000022
【図１０】
2021516508.tif 000023
【図１１】
2021516508.tif 000024
【国際調査報告】
2021516508.tif 000025
2021516508.tif 000026